(57)【特許請求の範囲】
【請求項１】
表面に第１薬剤１１が延展塗布され左端部と右端部にそれぞれ未塗布部分を有する第１延紙１と、表面に第２薬剤２１が延展塗布され左端部と右端部にそれぞれ未塗布部分を有する第２延紙２と、第１延紙１と第２延紙２との間に介在する剥離紙３とよりなり、それぞれ第１薬剤１１及び第２薬剤２１を介して剥離紙３に仮付着されており、第１延紙１と第２延紙２の横幅は等しく、且つそれぞれが剥離紙の横幅より大きく、
剥離紙３は、第１延紙１に延展塗布された第１薬剤１１をカバーし、第１延紙１と剥離紙３の左端が揃っており、第１延紙１に延展塗布された第１薬剤１１の右端は剥離紙３の右端と同じかそれより内側であり、第２延紙２に延展塗布された第２薬剤２１の右端は剥離紙３の端より突出して第１延紙１に粘着しており、第１延紙１と第２延紙２とは、ずれていることを特徴とする貼付剤シート。
【請求項２】
第１延紙１、第２延紙２、及び剥離紙３の上下端が一致していることを特徴とする請求項１記載の貼付剤シート。
【請求項３】
第１延紙１及び第１延紙１の未塗布部分は左右で幅が異なっていることを特徴とする請求項１記載の貼付剤シート。
【請求項４】
薬剤が生薬製剤、漢方製剤、膏薬、湿布剤、冷感剤、温感剤、保湿剤、消炎鎮痛剤、感冒治療剤、抗狭心症剤、抗喘息剤、芳香剤・又は化粧品原料であることを特徴とする請求項１記載の貼付剤シート。
【請求項５】
剥離紙３が紙をシリコン処理したものであることを特徴とする請求項１記載の貼付剤シート。
【請求項６】
延紙が和紙で形成されていることを特徴とする請求項１記載の貼付剤シート。
【発明の詳細な説明】
【技術分野】
【０００１】
本発明は貼付剤シートに関し、更に詳しくは、剥離紙が挿入されている貼付剤シートに関する。
【背景技術】
【０００２】
従来、腰や肩、膝、肘等の痛み止めや凝り止めのために、いわゆる貼付剤シートＳが、老若男女を問わず広く利用されている。
この貼付剤シートＳは、基布に粘着性の薬剤を延展付着してその薬剤面に剥離フィルムを（すなわち剥離紙３）貼着させたもので、剥離フィルムを剥がして薬剤側を人の肌に貼り付けて使用するものである（特許文献１）。
図１４は、この従来の貼付剤シートＳを示す斜視図である。
【０００３】
貼付剤シートＳは、不織布等からなる基布１０の片面に薬剤が延展塗布された膏体９と合成樹脂フィルム等からなる剥離フィルム８とで構成されている。
この剥離フィルム８としては、一般に、平滑な表面を有し、且つ極めて薄い透明な合成樹脂フィルムが使用されている。
なお、このような貼付剤シートＳは、一般に、皮膚等への貼着作用を得るために貼着性の優れた薬剤が使われている。
【０００４】
貼付剤シートＳを製造する場合、通常、薬剤が延展された膏体９と剥離フィルム８を貼着した後、それを、例えば四角状に切断して個々に切り離している。
そのため、膏体９（又は基布１０）と剥離フィルム８とは４つの辺とも切断面が全部が面一となる。
このように従来の貼付剤シートＳは、面一の外周切断面であり、且つ剥離フィルム８も平滑で薄いために、剥離フィルム８を剥がそうとしても剥がし始めの手掛かりが掴めず、使用する者にとって極めて扱いにくい。
特に、高齢者にとっては、指先の力や器用さが衰えてきており、しかも視力等も弱くなっていることから、薄く透明で且つ滑りやすい剥離フィルム８を膏体９から剥ぎ取ることはかなり厄介で扱い上の大きな負担となっていた。
【０００５】
そのため貼付剤シートＳを使用するに際しては、第１段階として、図１５に示すように、膏体９の角隅部分１０Ａを爪先で探って膏体９と剥離フィルム８との一部を少し解き、切っ掛けとなる摘まみ部分を確保する（摘まみ部分形成操作）。
このように全体を剥がす前に、先ず、切っ掛けとなる部分を確保するのである。
次に、摘まみ部分のところの剥離フィルム８と膏体９（又は基布１０）を、それぞれの手の指先で確り摘む。
【０００６】
そして、図１６に示すように、膏体９が捩れて絡まないように注意しながら一挙に両者を引き剥がし、薬剤面を表面に露出させるのである（引き剥がし操作）。
このように膏体９から剥離フィルム８を剥がすには、摘まみ部分を形成する操作と及び引き剥がしを行う操作との２段階の操作が必要であり、扱いが面倒であった。
一方、現在、プラスチック剥離フィルム等の廃棄物処理等が大きな問題となっている背景がある。
このような中で、更には省資源の観点からみても、剥離フィルムが片面しか使用されていないのは不合理であり不経済でもある。
【先行技術文献】
【特許文献】
【０００７】
【特許文献１】特開２００５―１５４３９４号公報
【発明の概要】
【発明が解決しようとする課題】
【０００８】
本発明は、かかる実状を背景に、上記の問題点を克服するためになされたものである。
すなわち、本発明の目的は、剥離フィルムを剥がすのが容易で、さらに剥離フィルムの両面が有効利用された貼付剤シートを提供することである。
【課題を解決するための手段】
【０００９】
かくして、本発明者は、このような課題背景に対して、鋭意研究を重ねた結果、剥離フィルムの両面を利用し、また延紙と剥離紙３との大きさ関係を規定することで、剥離紙３を剥がすのが容易になることを見出し、この知見に基づいて本発明を完成させたものである。
【００１０】
即ち、本発明は、（１）、表面に第１薬剤１１が延展塗布され左端部と右端部にそれぞれ未塗布部分を有する第１延紙１と、表面に第２薬剤２１が延展塗布され左端部と右端部にそれぞれ未塗布部分を有する第２延紙２と、第１延紙１と第２延紙２との間に介在する剥離紙３とよりなり、それぞれ第１薬剤１１及び第２薬剤２１を介して剥離紙３に仮付着されており、第１延紙１と第２延紙２の横幅は等しく、且つそれぞれが剥離紙の横幅より大きく、剥離紙３は、第１延紙１に延展塗布された第１薬剤１１をカバーし、第１延紙１と剥離紙３の左端が揃っており、第１延紙１に延展塗布された第１薬剤１１の右端は剥離紙３の右端と同じかそれより内側であり、第２延紙２に延展塗布された第２薬剤２１の右端は剥離紙３の端より突出して第１延紙１に粘着しており、第１延紙１と第２延紙２とは、ずれている貼付剤シートに存する。
【００１４】
そしてまた、本発明は、（２）、第１延紙１、第２延紙２、及び剥離紙３の上下端が一致している上記（１）記載の貼付剤シートに存する。
【００１５】
そしてまた、本発明は、（３）、第１延紙１及び第１延紙１の未塗布部分は左右で幅が異なっている上記（１）記載の貼付剤シートに存する。
【００１６】
そしてまた、本発明は、（４）、薬剤が、生薬製剤、漢方製剤、膏薬、湿布剤、冷感剤、温感剤、保湿剤、消炎鎮痛剤、感冒治療剤、抗狭心症剤、抗喘息剤、芳香剤、化粧品原料である上記（１）記載の貼付剤シートに存する。
【００１７】
そしてまた、本発明は、（５）、剥離紙３が紙をシリコン処理したものである上記（１）記載の貼付剤シートに存する。
【００１８】
そしてまた、本発明は、（６）、延紙が和紙で形成されている上記（１）記載の貼付剤シートに存する。
【００１９】
本発明は、この目的に沿ったものであれば、上記１〜６の中から選ばれた２つ以上を組み合わせた構成も当然採用可能である。
【発明の効果】
【００２０】
本発明の貼付剤シートＳは、表面に第１薬剤１１が延展塗布され左端部と右端部にそれぞれ未塗布部分を有する第１延紙１と、表面に第２薬剤２１が延展塗布され左端部と右端部にそれぞれ未塗布部分を有する第２延紙２と、第１延紙１と第２延紙２との間に介在する剥離紙３とよりなり、それぞれ第１薬剤１１及び第２薬剤２１を介して剥離紙３に仮付着されており、第１延紙１と第２延紙２の横幅は等しく、且つそれぞれが剥離紙の横幅より大きいので、２枚の延紙の間に剥離紙３が挿入されていることになり剥離紙３の使用量が極力少なくてコスト的に有利である。
剥離紙３の両面が有効使用されることにより貼付剤シートＳの使用後にゴミとなる剥離紙３の減量化が図られ省資源や環境に優しい。
また剥離紙から第１延紙１及び第２延紙２を引き剥がし易く、取扱性が極めて優れる。
【図面の簡単な説明】
【００２１】
【図１】図１は、第１実施の形態における貼付剤シートＳを示す図である。
【図２】図２は、貼付剤シートＳを構成する第１延紙、第２延紙、及び剥離紙を示す図である。
【図３】図３は、第１実施の形態における貼付剤シートＳの断面構造を説明する図である。
【図４】図４は第２延紙２を引っ張って引き剥がす状態を示す図である。
【図５】図５は第２延紙２を引き剥がした後の状態を示す図である。
【図６】図６は、第２実施の態様における貼付剤シートＳの断面構造を説明する図である。
【図７】図７は、第２実施の態様における貼付剤シートＳの断面構造を説明する図である。
【図８】図８は、貼付剤シートＳを剥がした後の断面構造を説明する説明図である。
【図９】図９は、第３実施の形態における貼付剤シートＳの断面構造を説明する説明図である。
【図１０】図１０は、貼付剤シートＳを剥がす状態における断面構造を説明する説明図である。
【図１１】図１１は、右端において第２薬剤が第１延紙に粘着している状態を示す図である。
【図１２】図１２は、左端から第１延紙から剥離紙を引き剥がした状態を示す図である。
【図１３】図１３は、貼付剤シートＳの製造工程を示す概略図である。
【図１４】図１４は、この従来の貼付剤シートＳを示す斜視図である。
【図１５】図１５は、この従来の貼付剤シートＳにおける摘み部分の形成の操作を示す図である。
【図１６】図１６は、従来の貼付剤シートＳにおける引き剥がし操作を示す図である。
【発明を実施するための形態】
【００２２】
以下、本発明の実施の形態を図面に基づいて説明する。
【００２３】
〔第１の実施の形態〕
図１は、第１の実施の形態における貼付剤シートＳを示した斜視図であり、図２は、その貼付剤シートＳを構成する第１延紙１、第２延紙２、及び剥離紙３を示す図である。
また図３は、貼付剤シートＳの断面構造を説明する説明図である。
貼付剤シートＳは、薬剤が延展塗布されている基材であるところの２枚の延紙１，２（薬剤が塗布されたものを支持体ともいう）と、それぞれの延紙１，２に形成された薬剤の面に仮付着された剥離紙３と、で構成されている。
２枚の延紙１，２、その薬剤塗布面、剥離紙３は矩形である。
この剥離紙３としては、紙をシリコン処理したものが使用され、その厚みは０．０５〜０．２ｍｍが好ましい。
【００２４】
貼付剤シートＳに使用される薬剤としては、生薬を主体とした製剤、例えば、黄檗、楊梅皮、山梔子(さんしし)、薄荷、樟脳、胡麻油、蓖麻子油、松脂等の生薬製剤、漢方製剤、膏薬、湿布剤、冷感剤、温感剤、保湿剤、消炎鎮痛剤、感冒治療剤、抗狭心症剤、抗喘息剤、芳香剤、化粧品原料等のものが採用可能である。
【００２５】
第１延紙１は、図３に示すように  その片側面に第１薬剤１１が延展塗布されている。
この第１延紙１の左右端部には第１薬剤１１の未塗布部分Ｖ，Ｗ）が形成されるよう左右端部の一定幅の領域だけ残して塗布されている。
そして未塗布部分の一方の幅Ｖは他方の幅Ｗと同じである。この点は第２延紙２においても同様である。
【００２６】
剥離紙３は、第１延紙１に延展塗布された第１薬剤１１の全面をカバーしている。
そして剥離紙３は第１薬剤１１の左右両端部より外方に突出している。
また剥離紙３は、第２延紙２に延展塗布された第２薬剤２１の全面をカバーし、剥離紙３は第２薬剤２１の左右両端部より外方に突出している。
第１延紙１と第２延紙２の横幅は等しく、且つそれぞれが剥離紙の横幅より大きい。
【００２７】
また貼付剤シートＳの上端及び下端（図３でいう紙面に垂直方向）は、第１延紙１、第１薬剤１１、第２延紙２、第２薬剤２１、剥離紙３とも同じ長さとなっている。
そして、第１延紙１と第２延紙２とは剥離紙３に対して対称となっている。
貼付剤シートＳを引き剥がす場合に、左右端のどちらからでも同じように行うことができる。
また第１延紙１と第２延紙２の横幅は、剥離紙の横幅より大きいので、剥離紙を指先を使って延紙から引き剥がし易い。
次に、このような構造を有する貼付剤シートＳを引き剥がす方法を示す。
【００２８】
（剥離操作法１）
いま貼付剤シートＳを使用する際は、まずあたかも本のページをめくるようにシートの左端の第１延紙１の未塗布部分を（或いは剥離紙３を同時に）左指爪でこじりながら摘み、右指先で第２延紙２の左端の未塗布部分を摘む。
剥離紙３の横幅が第１延紙１と第２延紙２の横幅より短いため、第１延紙１と第２延紙２との間に隙間ができ指先で摘み易い。
そして第２延紙２を一気に引っ張り全体を引き剥がす（図４）。
【００２９】
第２延紙２がザラザラしておりすべすべした剥離紙３とは感触が異なり摘み易く且つ引き剥がし易い。
これで第２延紙２は剥離紙３から剥離され薬剤の塗布部分（第２薬剤２１）が露出する（図５）。
【００３０】
この露出した面を皮膚に貼り付けるが、その際、第２延紙２の両端に未塗布部分があるのでここを掴めば指に粘着しない。
【００３１】
〔第２の実施の形態〕
この実施の態様は、図６に示すように  上記第１の実施の態様において、第１延紙１と第２延紙２とはずれていることで異なる。
このような構造を有する貼付剤シートＳを引き剥がす操作を示す。
【００３２】
（剥離操作法２）
第１の実施の形態と異なって、第１延紙１が第２延紙２より出っ張っているので摘み易い。
貼付剤シートＳを使用する際は、シートの左端の出っ張っている第１延紙１の未塗布部分を左指で摘み、右指先で第２延紙２と剥離紙３を摘む。
そして左指で第１延紙１を剥離紙３から一挙に引き剥がす（図７）。
ここでも第１延紙１がザラザラしておりすべすべした剥離紙３とは感触が異なり引き剥がしやすい。
これで第１延紙１は剥離紙３から剥離され薬剤の塗布部分（第１薬剤１１）が露出する（図８）。
この露出した面を皮膚に貼り付けることとなる。
その後、第２延紙２を使用する場合は、第２延紙２の右端が剥離紙３より出っ張っているので、この出っ張っている部分（未塗布部分）が摘み易い。
従って、剥離紙３から引き剥がしが容易に行える。
【００３３】
〔第３の実施の形態〕
第１延紙１は、図９に示すように、第１延紙１の片側面に薬剤（第１薬剤１１）が延展塗布されている。
この薬剤は第１延紙１の左右端部に未塗布部分が形成されるよう左右端部の一定幅の領域だけ残して塗布されている。
そして未塗布部分の一方の幅Ｗ１は他方の幅Ｗ２と同じである。
剥離紙３は、第１延紙１に延展塗布された第１薬剤１１の全面をカバーしている。
そして剥離紙３の左端部は第１薬剤１１の左端部より突出しており、第１延紙１と第２延紙２の横幅は等しく、且つそれぞれが剥離紙の横幅より大きい。
ここまでは第１の実施の形態と同じである。
しかしこの実施の形態は、第１延紙１と剥離紙３の左端が揃っており、第１延紙１に延展塗布された第１薬剤１１の右端は剥離紙３の右端と同じかそれより内側となっている。
【００３４】
第２延紙２に延展塗布された第２薬剤２１の右端は剥離紙３の右端より突出しており第１延紙１と第２延紙２とは、ずれている。
すなわち第１延紙１より第２延紙２が外方に突出している。
そのため第１延紙１と剥離紙３の左端を摘み易く、第２延紙の右端も摘み易い。
また右端において第２薬剤２１の一部が露出していることから第１延紙１に粘着している（図では、構造を分かり易くするため分離して示している）。
その場合は、この粘着部を利用して後述するような使い方が発揮できる。
【００３５】
（剥離操作法３）
いま貼付剤シートＳを使用する際は、シートの左端の出っ張っている第１延紙１と剥離紙３を左指で摘む。
そして右指先で第２延紙２を摘んで一気に引っ張って引き剥がしていく（図１０）。
【００３６】
第２延紙２は剥離紙３から剥離され薬剤の塗布部分（第２薬剤２１）が露出するが、先述したように右端において第２薬剤２１の一部が露出して第１延紙１に粘着しているので、この部分でつながった状態となる（図１１）。
【００３７】
そして、左端から第１延紙１と剥離紙３とを引き剥がしていくと、第１延紙１と第２延紙２がつながった状態で、第１薬剤１１、第２薬剤２１が露出する（図１２）。
【００３８】
この露出した面全体を同時に皮膚に貼り付けることができる。
第１延紙１と第２延紙の総面積が一挙に貼れるので、皮膚の広い部分に貼り付ける場合に極めて有効である。
ところで、本発明の貼付剤シートＳは、薬剤側を内側にした２枚の延紙１，延紙２の間に剥離紙３が挿入されているものであり、複数の工程を通過することにより製造される。
すなわち、図１３に示すように、延紙上に薬剤を延展塗布する塗布工程Ａと、薬剤が塗布された延紙を冷却する冷却工程Ｂと、延紙の中央部を分断する分断工程Ｂ１と、切断されて２枚となった延紙の間に剥離紙３を挿入する挿入工程Ｃと、挿入された剥離紙３と延紙とを圧接付着する付着工程Ｄ、剥離紙３が圧接付着された貼付剤シートＳを一定の間隔で切断して個々の貼付剤シートＳとする切断工程Ｅとを順次経ることにより、個々の貼付剤シートＳ１が製造されることになる。
【００３９】
或いは、同図に示すように、延紙上に薬剤を延展塗布する塗布工程Ａと、薬剤が塗布された延紙を冷却する冷却工程Ｂと、その延紙を２つ折りにしてその間に剥離紙３を挿入する挿入工程Ｃと、挿入工程において剥離紙３を折端部で切断する分断工程Ｃ１と、挿入された剥離紙３と延紙とを圧接付着する付着工程Ｄ、剥離紙３が圧接付着された貼付剤シートＳを一定の間隔で切断して個々の貼付剤シートＳとする切断工程Ｅとを順次経ることにより、個々の貼付剤シートＳ１が製造されることになる。
【００４０】
なお、薬剤が塗布された延紙を冷却する冷却工程Ｂと延紙を二つ折りにしてその間に剥離紙３を挿入する挿入工程Ｃとの両工程間に、両者間での移送スピードを調整するためのバッファ工程Ｆが設けられており、更には、薬剤が塗布された延紙を冷却する冷却工程Ｂと、延紙を二つ折りにしてその間に剥離紙３を挿入する挿入工程Ｃとの間に、薬剤が塗布された延紙に対する異物の混入をチェックするための異物検出工程Ｇが設けられている。
【００４１】
以上、本発明を述べてきたが、本発明は、上述した実施の形態に限られるものではなく、その目的に則したものであれば種々の変形が可能である。
例えば、未塗布部分の一方の幅Ｖは他方の幅Ｗと同じである場合で説明したが、一方の幅が他方の幅より大きい場合も、当然、採用可能である。
また、延紙に延展塗布される薬剤の種類は拘束されない。
また、延紙としては、和紙の他、合成紙、不織布、編布、織布、プラスチックフィルム等も採用可能である。
また、２つ折りにして２片部になった延紙の一方の片部にのみ薬剤が延展塗布されているものも可能である。
また、剥離紙３は紙だけでなくフィルム等の剥離性を有するものであればよい。
【産業上の利用可能性】
【００４２】
本発明は、剥離フィルムを剥がすのが容易で、さらに剥離フィルムの両面が有効利用された貼付剤シートＳであり、この発明原理を利用する限り、膏薬分野以外の分野、例えば装飾用シート等の分野にも広く適用可能である。
【符号の説明】
【００４３】
Ｓ…貼付剤シート
１…第１延紙
１１…第１薬剤
２…第２延紙
２１…第２薬剤
３…剥離紙  
８…剥離フィルム
９…膏体
１０…基布
１０Ａ…角隅部分
Ｖ，Ｗ，…未塗布部分
Ａ…塗布工程
Ｂ…冷却工程
Ｂ１…分断工程
Ｃ…挿入工程
Ｃ１…分断工程
Ｄ…付着工程
Ｅ…切断工程
Ｆ…バッファ工程
Ｇ…異物検出工程
【図１】
0005552332.tif 000002
【図２】
0005552332.tif 000003
【図３】
0005552332.tif 000004
【図４】
0005552332.tif 000005
【図５】
0005552332.tif 000006
【図６】
0005552332.tif 000007
【図７】
0005552332.tif 000008
【図８】
0005552332.tif 000009
【図９】
0005552332.tif 000010
【図１０】
0005552332.tif 000011
【図１１】
0005552332.tif 000012
【図１２】
0005552332.tif 000013
【図１３】
0005552332.tif 000014
【図１４】
0005552332.tif 000015
【図１５】
0005552332.tif 000016
【図１６】
0005552332.tif 000017